(57)【特許請求の範囲】
【請求項１】
複数のパネルが連結されたサークル本体に、ペットが出入り可能な出入口が開口され、この出入口を開閉する扉が開閉自在に設けられたペット用サークルの扉のロック構造であって、
前記扉の一方の側端部が取付端部、他方の側端部が自由端部とされ、取付端部がサークル本体に枢着されるとともに、自由端部にロック部材が取り付けられ、
前記ロック部材は、前記扉の自由端部から出没自在な突き出し部が設けられた係合体を備えて左右方向にスライドし、
前記扉を閉じた状態で前記突き出し部と係合可能な受け部が、サークル本体に設けられるとともに、前記扉を閉じた状態から開いて反転させた状態で前記突き出し部と係合可能な反転受け部が、サークル本体に設けられ、
扉を閉じた状態において前記突き出し部と前記受け部とを互いに係合することで扉がロックされるとともに、扉を閉じた状態から開いて反転させた状態において、前記突き出し部と前記反転受け部とを互いに係合することで扉がロックされることを特徴とするペット用サークルの扉のロック構造。
【請求項２】
前記ロック部材は、突き出し部が扉の自由端部から突出する方向に係合体を付勢する付勢手段を備え、
前記扉を閉じて突き出し部と受け部との係合により扉がロックされた状態から、前記付勢手段に抗して係合体をスライドさせて突き出し部を受け部から外すことにより扉のロックを解除し、
前記扉を閉じた状態から開いて反転させ、突き出し部と反転受け部との係合により扉がロックされた状態から、前記付勢手段に抗して係合体をスライドさせて突き出し部を反転受け部から外すことにより扉のロックを解除することを特徴とする請求項１記載のペット用サークルの扉のロック構造。
【発明の詳細な説明】
【技術分野】
【０００１】
本発明は、内部に犬や猫などのペットを入れるペット用サークルの扉のロック構造に関する。
【背景技術】
【０００２】
ペット用サークルは、複数のパネルを連結し、これらのパネルで囲まれた内部にペットを収容するものであって、ペットが出入り可能な出入口が開口され、この出入口を開閉する扉が開閉自在に設けられているものが一般的である。
【０００３】
このようなペット用サークルの扉を閉めた状態でロックするペット用サークルの扉のロック装置が、従来から種々提案されている（例えば、特許文献１参照。）。
【０００４】
上記した特許文献１に記載した扉のロック装置は、扉の一方の側端部がサークル本体に枢着され、他方の側端部にロック操作体が取り付けられ、サークル出入口の一部を挟持する係合手段により扉をロックするように構成されたものである。
【特許文献１】実用新案登録第３０５３２２６号公報
【発明の開示】
【発明が解決しようとする課題】
【０００５】
しかしながら、上記した従来の扉のロック装置では、ペット用サークルの出入口を扉で閉鎖した状態でロックすることはできるが、扉を開けた状態では、ロックすることはできない。
【０００６】
したがって、扉を開けた状態においては扉が自由に動いてしまい、ペットが誤って扉にぶつかったり、扉の枢着部分に挟まれたりして、怪我をするおそれがあった。
【０００７】
本発明は、このような事情に鑑み創案されたもので、ペット用サークルの扉を閉めた状態のみならず開けた状態においてもロックすることができる、安全性と利便性を備えたペット用サークルの扉のロック構造を提供するものである。
【課題を解決するための手段】
【０００８】
上記の目的を達成するため、本発明は、複数のパネルが連結されたサークル本体に、ペットが出入り可能な出入口が開口され、この出入口を開閉する扉が開閉自在に設けられたペット用サークルの扉のロック構造であって、前記扉の一方の側端部が取付端部、他方の側端部が自由端部とされ、取付端部がサークル本体に枢着されるとともに、自由端部にロック部材が取り付けられ、前記ロック部材は、前記扉の自由端部から出没自在な突き出し部が設けられた係合体を備えて左右方向にスライドし、前記扉を閉じた状態で前記突き出し部と係合可能な受け部が、サークル本体に設けられるとともに、前記扉を閉じた状態から開いて反転させた状態で前記突き出し部と係合可能な反転受け部が、サークル本体に設けられ、扉を閉じた状態において前記突き出し部と前記受け部とを互いに係合することで扉がロックされるとともに、扉を閉じた状態から開いて反転させた状態において、前記突き出し部と前記反転受け部とを互いに係合することで扉がロックされることを特徴とする。
【０００９】
この発明によれば、ペット用サークルの扉を閉めた状態のみならず開けた状態においてもロックすることができる。このように扉を開けて出入口を開放した際においても、扉をロックすることができるので、ペットが誤って扉にぶつかったり、扉の枢着部分に挟まれたりして、怪我をするおそれがない。また、出入口を全開にしてペットが安全で自由にペット用サークルの内外を行き来することが可能になる。  
【００１０】
さらに、本発明は、上記構成のペット用サークルにおいて、前記ロック部材は、突き出し部が扉の自由端部から突出する方向に係合体を付勢する付勢手段を備え、前記扉を閉じて突き出し部と受け部との係合により扉がロックされた状態から、前記付勢手段に抗して係合体をスライドさせて突き出し部を受け部から外すことにより扉のロックを解除し、前記扉を閉じた状態から開いて反転させ、突き出し部と反転受け部との係合により扉がロックされた状態から、前記付勢手段に抗して係合体をスライドさせて突き出し部を反転受け部から外すことにより扉のロックを解除することを特徴とする。
【００１１】
この発明によれば、係合体をスライドさせるだけで、扉の係合・解除を切り替えることができるので、ワンタッチでロック・ロック解除することができ、使い勝手がよい。
【００１２】
また、左右方向にスライドさせることにより扉のロック・ロック解除を可能にしているので、上下方向にスライドさせる場合と比べて、誤操作が行われ難いとともに、出入口をを上下方向に広く開口することができるため、小型犬や、足腰の弱った高齢犬にも好適である。
【００１３】
さらに、扉を閉じた状態においては、突き出し部と受け部とを係合することで扉がロックされ、扉を閉じた状態から開いて反転させた状態においては、突き出し部と反転受け部とを係合することで、扉がロックされるので、扉を閉めた状態のみならず開けた状態においても、扉をロックすることができる。このように扉を開けて出入口を開放した際においても、扉をロックすることができるので、ペットが誤って扉にぶつかったり、扉の枢着部分に挟まれたりして、怪我をするおそれがない。また、出入口を全開にしてペットが安全で自由にペット用サークルの内外を行き来することが可能になる。
【発明の効果】
【００１４】
本発明によれば、ペット用サークルの扉を閉めた状態のみならず開けた状態においてもロックすることができる。
【発明を実施するための最良の形態】
【００１５】
以下、本発明の実施の形態について、図を参照して説明する。
【００１６】
図１には、本実施形態のペット用サークル１の全体が示されている。
【００１７】
このペット用サークル１は、複数のパネル２ａ，２ｂ，２ｃ，２ｄが連結されたサークル本体２にペットが出入り可能な出入口２ｅが開口されており、この出入口２ｅを開閉する扉３が開閉自在に取付けられたものである。
【００１８】
サークル本体２は、正面・背面・左右の側面の４枚のパネル２ａ，２ｂ，２ｃ，２ｄが周囲壁を形成するように連結されており、各パネル２ａ，２ｂ，２ｃ，２ｄの隣り合うパネル同士は、固定棒２０により固定されている。  
【００１９】
なお、上記４枚のパネル２ａ，２ｂ，２ｃ，２ｄで囲まれた内部に対応するトレーを用意して、設置してもよい。この場合、室内の床の汚れを気にする必要がなくなる。
【００２０】
各パネル２ａ，２ｂ，２ｃ，２ｄは、木製の上フレーム２１と下フレーム２２と、これら上フレーム２１と下フレーム２２との間に取り付けられる金属製の網状体とから構成されている。
【００２１】
正面パネル２ａの下端部から上端部にわたって、出入口２ｅが広く開口されており、ペットが出入りし易いように図られている。
【００２２】
また、正面パネル２ａのうち、出入口２ｅの右端側は、扉３を開閉自在に取り付ける扉取付部２ｆとされている。この扉取付部２ｆには、扉３の回動軸３０を嵌め込む軸受け部２ｈが３個所形成されており、この軸受け部２ｈ回りに扉３が回動するようになされている。
【００２３】
一方、正面パネル２ａのうち、出入口２ｅの左端側は、扉３を閉じた状態で、扉３の自由端部３ｂが近接する扉受け部２ｇとされている。この扉受け部２ｇには、後述する突き出し部６２と係合する受け部４が上下２個所に取り付けられており、扉３を閉じた状態において、突き出し部６２と受け部４を係合することで扉３をロックすることができるように図られている。このように、受け部４が上下２個所に設けられて扉３と係合するように構成されているので、扉３のガタツキやねじれを最小限に抑制することができる。
【００２４】
さらに、正面パネル２ａのうち、上側の受け部４と扉取付部２ｆを挟んで略対称な位置に、反転受け部５が設けられており、扉３を閉じた状態から開いて反転させた状態において、上側の突き出し部６２と反転受け部５とが係合することで、扉３をロックすることができるように図られている（図２、図４参照）。
【００２５】
なお、本実施形態では、反転受け部５を１個所のみ設けているが、突き出し部６２に対応する上下の２個所に設けてもよい。
【００２６】
扉３は、出入口２ｅに対応する形状に形成された網状のパネル体であって、一方の側端部（取付端部３ａ）には、軸受け部２ｈに嵌入して扉３を回動自在とするための回転軸３０が設けられ、他方の側端部（自由端部３ｂ）には、ロック部材６、および扉３を閉じた状態でサークル本体２の扉受け部２ｇに当接する当接部３１が設けられている。
【００２７】
ロック部材６は、左右方向にスライドし、扉３の自由端部３ｂから出没自在な突き出し部６２が上下２個所に設けられた係合体６１と、扉３の自由端部３ｂから突出する方向に係合体６１を付勢するバネ６３が内蔵され、係合体６１と連動してスライドすることで、係合体６１と受け部４・反転受け部５との係合・解除を操作する操作部６４と、操作部６４をガイドするレール部６７とから構成されている。
【００２８】
係合体６１は、図５に示すように、線材の上下端部が同方向に屈曲されて突き出し部６２が形成されたものである。
【００２９】
操作部６４は、図６に示すように、合成樹脂製のケース６５の内部にバネ６３がケース６５の一方の端部から出入可能に取り付けられたものである。このバネ６３は、基端部がケース６５の内部に取り付けられ、先端部が扉３の自由端部３ｂに取り付けられている。そして、バネ６３によって、突き出し部６２が自由端部３ｂから突出する方向に付勢され（図５（ａ）参照）、この付勢方向と逆方向に力を加えることにより、突き出し部６２が扉３側に引き込まれ、受け部４から突き出し部６２を外すことができるようになされている（図５（ｂ）参照）。
【００３０】
ケース６５は、一対の半体６５ａ，６５ｂを組み合わせて、ビス６５ｃで固定するように形成されている（図６参照）。また、ケース６５には、係合体６１を縦方向に貫通する縦貫通孔６５ｄが設けられており、係合体６１がケース６５に連動するようになされている。さらに、ケース６５には、レール部６７を横方向に貫通する横貫通孔６５ｅが設けられており、レール部６７に沿って左右方向にスライドするようになされている。このように構成されているので、ケース６５がレール部６７に沿って左右方向にスライドすれば、係合体６１も連動して左右方向にスライドする。
【００３１】
また、ケース６５には、把持部６６ａ，６６ｂが表と裏にそれぞれ形成されており、手で操作し易いように図られている。表側の把持部６６ａは、扉３を閉じてロックする際、および閉じた状態において扉３を開ける際に用いられる。一方、裏側の把持部６６ｂは、扉３を閉じた状態から開いて反転させた状態において扉３をロックする際、およびこのロックを解除する際に用いられる。
【００３２】
レール部６７は、操作部６４をスライドさせて、操作部６４に連動する係合体６１の突き出し部６２が受け部４または反転受け部５への係合・解除自在とするためのものである。このレール部６７は、水平方向に平行な２本の線材で構成されており、左端部は、扉３の自由端部３ｂに接続され、右端部には縦部材６７ａが設けられるとともに扉３の縦方向の線材に接続されて操作部６４のスライド範囲が規制されている。
【００３３】
次に、上記構成のペット用サークル１の扉３のロック、およびロックを解除する手順について説明する。
＜扉３を閉じてロックする手順＞
まず、扉３を閉じる方向に回動させ、操作部６４の表側把持部６６ａに手を掛けて力を加え、操作部６４を右方向にスライドさせ、突き出し部６２を扉３側に引き込む。
【００３４】
扉３の当接部３１がサークル本体２の扉受け部２ｇと当接して、扉３が完全に閉まったときに、表側把持部６６ａに掛けた手を離すと、バネ６３の付勢力によって操作部６４が左方向にスライドして、突き出し部６２が扉３の自由端部３ｂから突出するので、突き出し部６２と受け部４とが係合し、扉３がロックされる。
＜閉じた扉３のロックを解除して開ける手順＞
扉３を開けるときは、操作部６４の表側把持部６６ａに手を掛けて力を加え、操作部６４を右方向にスライドさせ、突き出し部６２を扉３側に引き込むことにより、扉３のロックを解除する。
【００３５】
次いで、扉３を回動させて、開ける。
＜扉３を閉じた状態から開いて反転させた状態でロックする手順＞
扉３を開いて反転させた状態において、操作部６４の裏側把持部６６ｂに手を掛けて力を加え、操作部６４を左方向にスライドさせ、突き出し部６２を扉３側に引き込む。
【００３６】
次いで裏側把持部６６ｂに掛けた手を離すと、バネ６３の付勢力によって操作部６４が右方向にスライドして、突き出し部６２が扉３の自由端部３ｂから突出するので、突き出し部６２と反転受け部５とが係合し、扉３がロックされる。
【００３７】
このように、扉３を開けた状態においても、扉３をロックすることができるので、ペットが誤って扉３にぶつかったり、扉３の枢着部分に挟まれたりして、怪我をするおそれがない。また、出入口２ｅを全開にしてペットが安全で自由にペット用サークル１内外を行き来することが可能になる。
【００３８】
以上、本発明の一実施形態について、図面を参照しながら説明したが、本発明は上記して実施形態に限定されるものではなく、例えば、上記した実施形態において、左右方向が逆方向であってもよい。
【産業上の利用可能性】
【００３９】
本発明は、ペット用サークルの扉を閉めた状態のみならず開けた状態においてもロックすることができる、安全性と利便性を備えたペット用サークルの扉のロック構造に適用できる。
【図面の簡単な説明】
【００４０】
【図１】本発明に係るロック構造を備えたペット用サークルの全体を示す斜視図である。
【図２】図１のペット用サークルの扉を開けた状態を示す斜視図である。
【図３】図１のペット用サークルの正面パネルを示す斜視図である。
【図４】図２のペット用サークルの正面パネルを示す斜視図である。
【図５】本発明に係るロック構造のロック部材と受け部を示す斜視図である。
【図６】本発明に係るロック構造の操作部を示す斜視図である。
【符号の説明】
【００４１】
１      ペット用サークル
２      サークル本体
３      扉
４    受け部
５      反転受け部
６      ロック部材
６１    係合体
６２    突き出し部
６３    バネ（付勢手段）
【図１】
0004467510.tif 000002
【図２】
0004467510.tif 000003
【図３】
0004467510.tif 000004
【図４】
0004467510.tif 000005
【図５】
0004467510.tif 000006
【図６】
0004467510.tif 000007